(57)【要約】【課題】  着火燃焼を確実に行え、かつ安定した燃焼運転が可能であり、窒素酸化物の排出を低減すると共に熱効率を向上させる。【解決手段】  パイロット油着火ガスエンジンの予燃焼室６は、液体燃料噴射弁７からパイロット油が噴射される予燃焼室主部１１と、予燃焼室主部１１の先端に連続され、噴口１２ｃを介して主燃焼室４に連絡されたスロート部１２とを備え、ピストンの圧縮上死点時における主燃焼室４の室内容積をＶｃ、予燃焼室６の室内容積をＶｓ、予燃焼室主部１１の内径をＤ、予燃焼室主部１１の室内長をＬ、スロート部１２の内径をｄとすると、予燃焼室６の容積比率（｛Ｖｓ／（Ｖｃ＋Ｖｓ）｝×１００）が２．０〜１０％に、予燃焼室主部１１の寸法比（Ｌ／Ｄ）が０．５〜３．０に、予燃焼室主部１１とスロート部１２の内径比（Ｄ／ｄ）が１．２〜３．７にそれぞれ設定されている。【選択図】        図２
2005090381.tif 000002
【特許請求の範囲】
【請求項１】
シリンダとシリンダ内で往復動するピストンとシリンダヘッドとにより区画される主燃焼室と、前記シリンダヘッドに設けられ内部を前記主燃焼室に連絡された予燃焼室とを備え、主燃焼室内に供給された気体燃料と空気との希薄混合気を前記予燃焼室内に導入して、液体燃料噴射弁から予燃焼室内に噴射されるパイロット油を圧縮着火させ、これを点火源として予燃焼室内の希薄混合気を燃焼させ、次いで予燃焼室にて燃焼した火炎を点火源として前記主燃焼室内の希薄混合気を着火燃焼させる方式のパイロット油着火ガスエンジンにおいて、
前記予燃焼室は、前記液体燃料噴射弁からパイロット油が中央に噴射される円筒状の予燃焼室主部と、該予燃焼室主部の先端に軸線を一致させて連続され、噴口を介して前記主燃焼室に連絡された円筒状のスロート部とを備え、前記ピストンの圧縮上死点時における主燃焼室内容積をＶｃ、予燃焼室内容積をＶｓ、予燃焼室主部の内径をＤ、予燃焼室主部の室内長をＬ、スロート部の内径をｄとするとき、予燃焼室内容積の総燃焼室内容積に対する容積比率（｛Ｖｓ／（Ｖｃ＋Ｖｓ）｝×１００）が２．０〜１０％に、予燃焼室主部の寸法比（Ｌ／Ｄ）が０．５〜３．０に、予燃焼室主部とスロート部の内径比（Ｄ／ｄ）が１．２〜３．７にそれぞれ設定されていることを特徴とするパイロット油着火ガスエンジン。
【発明の詳細な説明】
【技術分野】
【０００１】
本発明は、産業用の定置型発電設備等を駆動するのに使用されるパイロット油着火ガスエンジンに関するものである。
【背景技術】
【０００２】
従来、この種のパイロット油着火ガスエンジンとして、シリンダとシリンダ内で往復動するピストンとシリンダヘッドとにより区画される主燃焼室と、前記シリンダヘッドに設けられ内部を前記主燃焼室に連絡された予燃焼室とを備え、主燃焼室内に供給された気体燃料と空気との希薄混合気を前記予燃焼室内に導入して、予燃焼室内に液体燃料噴射弁から噴射されるパイロット油を燃焼させ、この燃焼炎を点火源として前記主燃焼室内の希薄混合気を着火燃焼させる予燃焼室式のものが知られている（例えば、特許文献１、特許文献２参照）。
また、シリンダとシリンダ内で往復動するピストンとシリンダヘッドとにより区画される主燃焼室と、前記シリンダヘッドに設けられ内部を前記主燃焼室に連絡された予燃焼室とを備え、予燃焼室内に供給されるガス燃料で形成される濃厚混合気に点火プラグで点火させ、その燃焼炎を点火源として前記主燃焼室内の希薄混合気を着火燃焼させる方式の予燃焼室式ガスエンジンにおいて、前記予燃焼室の内部の寸法を特定値に設定して、予燃焼室内の混合気の点火性を改善するようにしたものが知られている（例えば、特許文献３参照）。
【特許文献１】特開平１１−３２４８０５号公報
【特許文献２】特開２０００−６４８３９号公報
【特許文献３】特開平２−８１９２５号公報
【発明の開示】
【発明が解決しようとする課題】
【０００３】
しかしながら、前者の予燃焼室式のパイロット油着火ガスエンジンでは、排気中に含まれる窒素酸化物（ＮＯｘ）の濃度を低く抑えるために、前記ピストンの圧縮上死点時における総燃焼室内容積に対する予燃焼室内容積の比率（予燃焼室容積比）を１〜３％程度に設定されている。このように、前記予燃焼室容積比が小さいと、予燃焼室内に大きな点火エネルギーが形成されないため、前記主燃焼室内の希薄混合気を確実に着火燃焼できないおそれがあり、ガスエンジンの熱効率を高めて出力を高めることができない問題がある。
また、後者の予燃焼室式ガスエンジンは、予燃焼室内に供給されるガス燃料で形成される濃厚混合気に点火プラグで点火させるときの点火性を改善するために、予燃焼室の寸法条件を特定しているが、それらの特定条件の中には、ガスエンジンの燃焼性能に影響を与える予燃焼室の容積条件が含まれておらず、それらの特定条件によっては、着火方式の異なる、予燃焼室内に噴射される少量のパイロット油に希薄混合気で着火せる方式のパイロット油着火ガスエンジンを適切な性能が発揮された状態で運転させることができない問題がある。
【０００４】
本発明は、前記事情に鑑みてなされたもので、着火燃焼を確実に行え、かつ安定した燃焼運転が可能であり、窒素酸化物の排出を低減することができると共に、熱効率を向上させることができるパイロット油着火ガスエンジンを提供することを目的とする。
【課題を解決するための手段】
【０００５】
前記課題を解決するために、本発明の請求項１に係るパイロット油着火ガスエンジンは、シリンダとシリンダ内で往復動するピストンとシリンダヘッドとにより区画される主燃焼室と、前記シリンダヘッドに設けられ内部を前記主燃焼室に連絡された予燃焼室とを備え、主燃焼室内に供給された気体燃料と空気との混合気を前記予燃焼室内に導入して、液体燃料噴射弁から予燃焼室内に噴射されるパイロット油を圧縮着火させ、これを点火源として予燃焼室内の希薄混合気を燃焼させ、次いで予燃焼室にて燃焼した火炎を点火源として前記主燃焼室内の混合気を着火燃焼させる方式のパイロット油着火ガスエンジンにおいて、前記予燃焼室は、前記液体燃料噴射弁からパイロット油が中央に噴射される円筒状の予燃焼室主部と、該予燃焼室主部の先端に軸線を一致させて連続され、噴口を介して前記主燃焼室に連絡された円筒状のスロート部とを備え、前記ピストンが上死点に来たときの主燃焼室の容積をＶｃ、予燃焼室の容積をＶｓ、予燃焼室主部の内径をＤ、予燃焼室主部の室内長をＬ、スロート部の内径をｄとすると、予燃焼室の全燃焼室に対する容積比率（｛Ｖｓ／（Ｖｃ＋Ｖｓ）｝×１００）が２．０〜１０％に、予燃焼室主部の寸法比（Ｌ／Ｄ）が０．５〜３．０に、予燃焼室主部とスロート部の内径比（Ｄ／ｄ）が１．２〜３．７にそれぞれ設定されたことを特徴としている。
【発明の効果】
【０００６】
本発明によれば、予燃焼室が、液体燃料噴射弁からパイロット油を中央に噴射される円筒状の予燃焼室主部と、該予燃焼室主部の先端に軸線を一致させて連続され、噴口を介して主燃焼室に連絡された円筒状のスロート部とを備え、ピストンの圧縮上死点時における主燃焼室の室内容積をＶｃ、予燃焼室の室内容積をＶｓ、予燃焼室主部の内径をＤ、予燃焼室主部の室内長をＬ、スロート部の内径をｄとすると、予燃焼室の全燃焼室に対する容積比率（｛Ｖｓ／（Ｖｃ＋Ｖｓ）｝×１００）が２．０〜１０％に、予燃焼室主部の寸法比（Ｌ／Ｄ）が０．５〜３．０に、予燃焼室主部とスロート部の内径比（Ｄ／ｄ）が１．２〜３．７にそれぞれ設定された構成とされているので、予燃焼室の関係寸法比と容積比率を燃焼室内の希薄混合気の燃焼性能に鑑みた適切な大きさに設定されることとなり、予燃焼室内に液体燃料噴射弁から噴射される少量のパイロット油の着火燃焼を確実に行うことができ、その着火燃焼炎によって主燃焼室内の希薄混合気の着火燃焼を確実に行うことができ、燃焼変動の少ない安定したガスエンジンの燃焼運転を行わせることが可能である。また、窒素酸化物の排出を低減することができると共に、熱効率を向上させてエンジン出力の向上を図ることができる。
【発明を実施するための最良の形態】
【０００７】
以下、本発明の一実施の形態に係るパイロット油着火ガスエンジンについて図１、図２を参照して説明する。
図１において、１は本発明の一実施の形態に係るパイロット油着火ガスエンジンである。このパイロット油着火ガスエンジン１は、シリンダライナ（シリンダ）２と、シリンダライナ２内を上下に往復動するピストン３と、前記シリンダライナ２とピストン３と共に主燃焼室４を区画するシリンダヘッド５と、内部を前記主燃焼室４に連絡された予燃焼室６と、該予燃焼室６内に燃料油を噴射する液体燃料噴射弁７とを備えている。前記シリンダヘッド５は、図示しないが、吸、排気弁を有する吸、排気ポートが設けられ、燃料ガスと空気との希薄混合気が前記吸気ポートを経て前記主燃焼室４内に導入されるようになっている。なお、前記パイロット油着火ガスエンジン１には、予燃焼室６の内部に供給される燃料に着火させる点火プラグは設けられていない。
【０００８】
前記予燃焼室６は、その先端部（図１で下端部）が前記シリンダ２（主燃焼室４）の上端部中央に位置され、かつ軸方向をシリンダ２の軸方向に一致されてシリンダヘッド５の装着穴５ａの下方に挿入されると共に、下方の段部６ａがシリンダヘッド５の設置座５ｂに当接され、上端が前記装着穴５ａの上部に挿入された予燃焼室押さえ８の下端に当接されており、該予燃焼室押さえ８が取付フランジ９を介してボルト・ナット１０で下方へ押圧されることにより、シリンダヘッド５に固定されている。
【０００９】
また、前記液体燃料噴射弁７は、前記予燃焼室押さえ８に挿入、固定されており、その軸線を前記予燃焼室６の軸線と一致され、先端部のノズル７ａを前記予燃焼室押さえ８の下端から前記予燃焼室６の上端部中央に突出させて設けられている。また、前記液体燃料噴射弁７は、周知のディーゼルエンジンの液体燃料噴射弁と同様な構造を有しているが、その噴射量が主燃焼室４と予燃焼室６における全投入熱量に対する比で約１％の少量となっている。
【００１０】
さらに、前記予燃焼室６は、下端部をやや小径とした円筒状の予燃焼室主部１１と、該予燃焼室主部１１の下端部に上端部が嵌合された予燃焼室主部１１より小径のスロート部１２とからなり、予燃焼室主体部１１の上端部が前記予燃焼室押さえ８の下端に嵌合され、前記スロート部１２の上方の外周部に設けたフランジ１２ａの下面がシリンダヘッド５の設置座５ｂに当接する前記段部６ａを構成している。
【００１１】
前記スロート部１２の下端部は球面に形成した底部１２ｂとなっており、該底部１２ｂには、予燃焼室６の内部と主燃焼室４とを連通する複数の噴口１２ｃがスロート部１２の周方向に等間隔をあけて設けられている。各噴口１２ｃは前記球面の中心Ｃからやや下方へ傾斜した軸線に沿って放射状に向けられている。
前記予燃焼室主部１１の下端部と前記スロート部１２の上端部との接続部における内径部は、予燃焼室主部１１の横断面円形とされた内穴１１ａから、それより小径のスロート部１２の横断面円形とされた内穴１２ｄへ向けて窄まるように傾斜した傾斜面１１ｂ，１２ｅからなるテーパ穴部１１ｃとなっている。
【００１２】
そして、前記予燃焼室６の予燃焼室主部１１の内径（内穴１１ａの直径）をＤ、前記予燃焼室主部１１の室内長Ｌ、予燃焼室主部１１の内穴１１ａの長さをＬ１、前記テーパ穴部１１ｃの長さをＬ２、前記スロート部１２の内径（内穴１２ｄの直径）をｄとすると、予燃焼室主部１１の寸法比（Ｌ／Ｄ）が０．５〜３．０に、予燃焼室主部１１とスロート部１２の内径比（Ｄ／ｄ）が１．２〜３．７にそれぞれ設定されている。また、前記ピストン３の圧縮上死点時における主燃焼室４の室内容積をＶｃ、予燃焼室６の室内容積をＶｓとするとき、予燃焼室６の室内容積の総燃焼室内容積に対する容積比率（｛Ｖｓ／（Ｖｃ＋Ｖｓ）｝×１００）が２．０〜１０％に設定されている。
【００１３】
前記実施の形態に係るパイロット油着火ガスエンジン１においては、例えば、都市ガス等の燃料ガス（気体燃料）が空気と混合されて濃度５％程度の希薄混合気として、前記シリンダヘッド５の吸気ポートを経て前記主燃焼室４に供給され、かつ前記ピストン３の圧縮行程の後半に、全投入熱量比で約１％に相当する燃料油がパイロット油として、前記液体燃料噴射弁７から前記予燃焼室６の予燃焼室主部１１の内穴１１ａに噴射される。
【００１４】
その結果、主燃焼室４から予燃焼室６の噴口１２ｃを経てスロート部１２の内穴１２ｄ、前記内穴１１ａに導入された希薄混合気の高温高圧の雰囲気下で前記パイロット油が圧縮着火し、これが点火源となって予燃焼室６内の希薄混合気が着火燃焼し、次いで予燃焼室６にて燃焼した火炎が前記噴口１２ｃを通って主燃焼室４に噴射し、この噴口１２ｃから噴射した火炎が着火源となって、主燃焼室４の希薄混合気全体が燃焼する。このようにして、各サイクル毎に所定のタイミングで、前記液体燃料噴射弁７から少量のパイロット油を予燃焼室６へ噴射することにより、パイロット油着火ガスエンジン１の希薄混合気の着火燃焼による運転が継続して行われる。
【００１５】
前記実施の形態に係るパイロット油着火ガスエンジン１によれば、前記予燃焼室６は、前記液体燃料噴射弁７からパイロット油が中央に噴射される円筒状の予燃焼室主部１１と、該予燃焼室主部１１の先端に軸線を一致させて連続され、噴口１２ｃを介して前記主燃焼室４に連絡された円筒状のスロート部１２とを備え、前記ピストン３の圧縮上死点時における主燃焼室４の室内容積をＶｃ、予燃焼室６の室内容積をＶｓ、予燃焼室主部１１の内径をＤ、予燃焼室主部１１の室内長をＬ、スロート部１２の内径をｄとするとき、予燃焼室６の室内容積Ｖｃの総燃焼室内容積に対する容積比率（｛Ｖｓ／（Ｖｃ＋Ｖｓ）｝×１００）が２．０〜１０％に、予燃焼室主部１１の寸法比（Ｌ／Ｄ）が０．５〜３．０に、予燃焼室主部１１とスロート部１２の内径比（Ｄ／ｄ）が１．２〜３．７にそれぞれ設定された構成とされているので、予燃焼室６の関係寸法比と容積比率を適切な大きさに設定されることによって、パイロット油の着火が確実に行うことができ、その着火燃焼炎によって大きな点火エネルギーを得ることができる。
【００１６】
また、前記液体燃料噴射弁７はパイロット油を予燃焼室６の予燃焼室主部１１内の中央に向けて噴射するので、噴射されたパイロット油の一部が予燃焼室主部１１の内穴１１ａの壁面に燃焼しないまま炭化付着する障害が起こらず、前記点火エネルギーを低下させることなく安定に維持させることができる。
したがって、その大きな点火エネルギーによって、前記主燃焼室４内の難燃性を示す（可燃下限界に近い状態）希薄混合気の着火燃焼を確実に行うことができ、極端な燃焼変動のない安定したパイロット油着火ガスエンジン１の燃焼運転を行わせることが可能である。また、窒素酸化物の排出を低減することができると共に、熱効率を向上させて出力の向上を図ることができる。
【００１７】
因みに、図３〜図５は、パイロット油着火ガスエンジン１の単シリンダ試験エンジンを、燃料ガスとしてＬＮＧ（液化天然ガス：都市ガス１３Ａ相当）を、パイロット油としてＡ重油を使用して、主燃焼室４内の正味平均有効圧力が１．４７ＭＰａとなるように運転して、燃焼性能の試験結果を、前記予燃焼室６の容積比率（Ｐｃｃ容積比）、寸法比（Ｌ／Ｄ）、内径比（Ｄ／ｄ）等の関係要目の各大きさと、前記燃焼性能の評価項目としての、熱効率Ｘ（％）、ＮＯｘＹ（ｐｐｍ）、燃焼変動率（主燃焼室４内の圧力の変動率）Ｚ（％）との関係で示したものである。
【００１８】
図３〜図５にもとづいて、前記燃焼性能の評価項目と前記関係要目との関係を考察すると、
イ）燃焼性能の各評価項目と容積比率（Ｐｃｃ容積比）との関係
熱効率Ｘは、容積比率（Ｐｃｃ容積比）の数値を大きくすると向上するが、８％付近をピークとしてそれ以上の数値ではやや低下する傾向が認められる。前記ＮＯｘＹは、容積比率（Ｐｃｃ容積比）の数値を大きくすると徐々に増加して８％付近で、約５００ｐｐｍ（ＮＯｘ許容値（緩やかな上限規制値）６００ｐｐｍ以下）になり、それ以上の数値ではやや低下する傾向が認められる。燃焼変動率Ｚは、容積比率（Ｐｃｃ容積比）の数値が小さいほど大きく、２％未満では許容変動率８．０％を超えると共に、予燃焼室６のパイロット油の着火ができない場合も起こる。なお、前記容積比率（Ｐｃｃ容積比）の数値は、熱効率Ｘの観点からすると大きいほど良いが、シリンダヘッド５の構造からその中に占める予燃焼室６の大きさにも限度があり、前記容積比率（Ｐｃｃ容積比）の数値も余り大きくすることはできず、その上限は設計上の制約から１０％とするのが好ましい。
【００１９】
ロ）燃焼性能の各評価項目と寸法比（Ｌ／Ｄ）との関係
熱効率Ｘは、寸法比（Ｌ／Ｄ）の数値が１．３付近でピークとなるが、それから大小側に離れるにしたがって小さくなる。ＮＯｘＹは、寸法比（Ｌ／Ｄ）の数値が大きくなるほど増加し、３．０付近で前記ＮＯｘ許容値である６００ｐｐｍに近い値に達する。燃焼変動率Ｚは、寸法比（Ｌ／Ｄ）の数値が大きくなるほど大きくなり、数値が３．０を超えると前記許容変動率８．０％を超えると共に、予燃焼室６のパイロット油の着火ができない場合がある。なお、寸法比（Ｌ／Ｄ）の数値を余り小さくすると、液体燃料噴射弁７から噴射されるパイロット油が予燃焼室６のスロート部１２の内壁に衝突し、燃焼に寄与しなくなる等のおそれがあるので、その下限は設計上の制約から０．５とするのが好ましい。
【００２０】
ハ）燃焼性能の各評価項目と内径比（Ｄ／ｄ）との関係
熱効率Ｘは、内径比（Ｄ／ｄ）の数値が２．５付近でピークとなるが、それから大小側に離れるにしたがって小さくなる。ＮＯｘＹは、前記内径比（Ｄ／ｄ）の数値が大きくなるほど低下するが、数値が１．２に満たない範囲では前記ＮＯｘ許容値６００ｐｐｍを超える。燃焼変動率Ｚは、内径比（Ｄ／ｄ）の数値が大きくなるにしたがって大きくなり、数値が３．７を超えると前記許容変動率８．０％を超える。
これらの考察結果を総合してみると、前記予燃焼室６の容積比率（｛Ｖｓ／（Ｖｃ＋Ｖｓ）｝×１００）が２．０〜１０％に、予燃焼室主部１１の寸法比（Ｌ／Ｄ）が０．５〜３．０に、予燃焼室６の内径比（Ｄ／ｄ）が１．２〜３．７にそれぞれ設定されることにより、熱効率の向上、排ガス中のＮＯｘの低減、燃焼変動率の減少等の燃焼性能を適切に発揮してパイロット油着火ガスエンジン１を運転させることができることが判った。
【００２１】
前記実施の形態に係るパイロット油着火ガスエンジン１においては、前記予燃焼室６を前記主燃焼室４の中央に位置させてシリンダヘッド５に１個装着した例を示したが、これに限らず、予燃焼室６は、主燃焼室４の中心のものの他に主燃焼室４の外周側に寄った中心からの対称位置に複数個設置してもよいし、主燃焼室４の中心のものを省略して、外周側にのみ複数個設けるようにしてもよい。
その場合、前記容積比率（｛Ｖｓ／（Ｖｃ＋Ｖｓ）｝×１００）を求める際の前記予燃焼室６の室内容積Ｖｓは、各予燃焼室６の室内容積を総和したものとする。
なお、外周側のみに予燃焼室を複数個設ける場合には、前記予燃焼室６の容積比率（｛Ｖｓ／（Ｖｃ＋Ｖｓ）｝×１００）、寸法比（Ｌ／Ｄ）、内径比（Ｄ／ｄ）は、予燃焼室６を中心部に１個設ける場合に比べて、それぞれ前記設定数値のうちの小さい数値範囲に設定するのが好ましい。
【図面の簡単な説明】
【００２２】
【図１】本発明の一実施の形態に係るパイロット油着火ガスエンジンを示す縦断面図である。
【図２】本発明の一実施の形態に係るパイロット油着火ガスエンジンの予燃焼室付近を示す縦断面図である。
【図３】予燃焼室の容積比率とパイロット油着火ガスエンジンの性能との関係を示す線図である。
【図４】予燃焼室の予燃焼室主部の寸法比（長さ／内径）とパイロット油着火ガスエンジンの性能との関係を示す線図である。
【図５】予燃焼室の予燃焼室主部とスロート部の内径比とパイロット油着火ガスエンジンの性能を示す線図である。
【符号の説明】
【００２３】
１  パイロット油着火ガスエンジン
２  シリンダライナ（シリンダ）
３  ピストン
４  主燃焼室
５  シリンダヘッド
６  予燃焼室
７  液体燃料噴射弁
８  予燃焼室押さえ
１１  予燃焼室主部
１２  スロート部
１２ｃ  噴口
Ｄ  予燃焼室主部の内径
ｄ  スロート部の内径
Ｌ  予燃焼室の室内長
【図１】
2005090381.tif 000003
【図２】
2005090381.tif 000004
【図３】
2005090381.tif 000005
【図４】
2005090381.tif 000006
【図５】
2005090381.tif 000007